(57)【要約】【課題】  通夜や葬儀の式場としての機能を持つのに止まらず、通夜振舞いや御斎の提供場所として、また休憩や待合にも利用できるようにし、会葬者の移動距離の短縮を図り、肉体的負担の軽減、また式場運営の円滑化を図ることができ、更には遺族等が、通夜式、通夜振舞い等を通じて、故人と同じ空間に長く居ることができるようにして、遺族等に安心感を与えることができ、故人の思い出を語り合うのに相応しい葬儀用ホールを提供する。【解決手段】  ホールのほぼ中央部に棺１の安置箇所２を設ける。この棺１の安置箇所２の後側にホールを前後に仕切る仕切り幕５を吊り下げる。この仕切り幕５の前側に当たるホールの前側部分を式場９に形成する。仕切り幕５の後側に当たるホールの奥側部分をダイニングルーム１０に形成する。【選択図】  図１
0003202258.tif 000002
【実用新案登録請求の範囲】
【請求項１】
ホールのほぼ中央部に棺の安置箇所が設けられ、この棺の安置箇所の後側にホールを前後に仕切る仕切り幕が吊り下げられ、この仕切り幕の前側に当たるホールの前側部分が式場に形成され、仕切り幕の後側に当たるホールの奥側部分がダイニングルームに形成されていることを特徴とする葬儀用ホール。
【請求項２】
請求項１記載の葬儀用ホールであって、棺の安置箇所が、棺を囲む懸吊状の覆いを備えて形成されていることを特徴とする葬儀用ホール。
【請求項３】
請求項１又は２記載の葬儀用ホールであって、仕切り幕が交換自在に取り付けられていることを特徴とする葬儀用ホール。
【考案の詳細な説明】
【技術分野】
【０００１】
本考案は、葬儀用ホールに関し、更に詳しくは通夜式、通夜振舞い、葬儀告別式等、葬儀の各段階に応じてホールの形態を適宜変更できるよう形成した葬儀用ホールに関するものである。
【背景技術】
【０００２】
従来、葬儀用ホールとしては、例えば特許文献１に記載されているものが知られている。この従来例は、会葬者の人数に応じて席数等、会場の広さを任意に変更できるよう形成されている。
【０００３】
ところで、一般的に葬儀用ホールは、棺の安置場所が正面の奥に設けられ、正面に向かって左右側に遺族や会葬者の座る席が設けられているのに過ぎない。
換言すると、従来の葬儀用ホールは、通夜式や葬儀告別式の専用会場として構築され、通夜振舞いや初七日の御斎の場所は、別に設営されるのが通例であった。
【０００４】
そのため、従来のこの種ホールによると、会葬者等は、通夜振舞いや初七日の御斎の際、ホールから、一旦、外に出て別室に移動する必要があった。
また従来、遺族や会葬者が、休憩や待合に使用する場所は、ホール外の部屋等が使用されるのが通例であった。
【０００５】
従って、従来のホールによると、会葬者等の移動距離が増え、例えばお年寄りや脚の不自由な人に肉体的な負担をかける、という問題点があった。
また従来のホールによると、移動に時間がかかる分、式場運営の円滑化に支障を来たす、という問題点があった。
【先行技術文献】
【特許文献】
【０００６】
【特許文献１】特開平１１−６２２８９号公報
【考案の概要】
【考案が解決しようとする課題】
【０００７】
本考案は、このような従来品の問題点に鑑み、提案されたものである。
従って本考案の解決しようとする技術的課題は、通夜や葬儀の式場としての機能を持つのに止まらず、通夜振舞いや御斎の提供場所として、また休憩や待合にも利用できるようにし、会葬者の移動距離の短縮を図り、肉体的負担の軽減、また式場運営の円滑化を図ることができ、更には遺族等が、通夜式、通夜振舞い等を通じて、故人と同じ空間に長く居ることができるようにして、遺族等に安心感を与えることができ、故人の思い出を語り合うのに相応しい葬儀用ホールを提供することにある。
【課題を解決するための手段】
【０００８】
本考案は、上記の課題を解決するため、次のような技術的手段を採る。
即ち、本考案は、図１等に示されるように、ホールのほぼ中央部に棺１の安置箇所２が設けられ、この棺１の安置箇所２の後側にホールを前後に仕切る仕切り幕５が吊り下げられ、この仕切り幕５の前側に当たるホールの前側部分が式場９に形成され、仕切り幕５の後側に当たるホールの奥側部分がダイニングルーム１０に形成されていることを特徴とする（請求項１）。
【０００９】
この場合、本考案は、棺１の安置箇所２が、棺１を囲む懸吊状の覆い４を備えて形成されているのが好ましい（請求項２）。
【００１０】
なぜなら、これによれば、故人の、例えば好みの花や、旅立ちの季節に合わせた絵が描かれている覆い４で棺１を囲むことができ、遺族の気持ちを和らげたり、会場の雰囲気作りに効果を発揮できるからである。
またこれによれば、式の進行に合わせて覆い４を開閉操作したり、照明を変化することで、式の運営を好ましい状態、印象的な状態に演出でき、ホールの差別化を図ることができるからである。
本考案の場合、覆い４の素材は、任意であるが、会葬者が棺１を安置箇所２の外側から透視できるよう、薄手の生地や、紐状等の素材で形成されているのが良い。
【００１１】
また本考案は、仕切り幕５が交換自在に取り付けられているのが好ましい（請求項３）。
【００１２】
なぜなら、これによれば、通夜式、葬儀告別式、ダイニングルーム１０で会葬者に食事を提供するときなど、式の各段階や、また式場９とダイニングルーム１０の使用時において、その場に合わせた雰囲気の仕切り幕５を吊り下げることができるからである。
【考案の効果】
【００１３】
本考案は、このように棺の安置箇所がホールのほぼ中央部に設けられ、ホールを式場とダイニングルームに仕切る仕切り幕を備えて形成されている。
【００１４】
従って、本考案は、通夜式、通夜振舞い、葬儀告別式等、葬儀の各段階に応じてホールの形態を適宜変更できるから、これによれば、会葬者の移動距離を短縮でき、移動の負担を減らすことができる。
【００１５】
また本考案の場合は、ダイニングルームを休憩や待合に使用できるだけではなく、移動時間を短縮化でき、会葬者がまごつくことなく移動できることから、式場運営の円滑化を図ることができる。
【００１６】
また遺族等は、通夜式、通夜振舞い等を通じて、故人と同じ空間に長く居ることができるから、これによれば、遺族等に安心感を与えることができ、故人の思い出を語り合うのに相応しいホールを提供できる。
【図面の簡単な説明】
【００１７】
【図１】本考案の葬儀用ホールの好適な一実施形態を示す平面図である。
【図２】同上葬儀用ホールの式場側から見た斜視図である。
【図３】同上葬儀用ホールの要部斜視図である。
【図４】図３のＩＶ−ＩＶ線における要部断面図である。
【図５】同上葬儀用ホールの平面図である。
【図６】同上葬儀用ホールのダイニングルーム側から見た斜視図である。
【図７】同上葬儀用ホールの平面図である。
【考案を実施するための形態】
【００１８】
以下、本考案の好適な一実施形態を、添付図面に従って説明する。
本考案の葬儀用ホールは、図１等に示されるように、ホールのほぼ中央部に棺１の安置箇所２が設けられている。ホールは、この実施形態では平面視で矩形に形成されている。
【００１９】
棺１の安置箇所２は、この実施形態ではホールの中央部より僅かに奥側（後方側）に選定され、ホールの短辺方向に沿って長い矩形に形成されている。またこの安置箇所２は、図１、図３等に示されるよう、四隅に横断面鉤形の支柱３が立てられ、この支柱３を内包するよう、棺１を囲む懸吊状の覆い４を備えて形成されている。
【００２０】
覆い４は、安置箇所２の外側から棺１を透視可能になるよう、この実施形態では薄手の生地で形成され、前後の側が開閉可能に形成されている。覆い４の開閉の形態は、任意であるが、この実施形態では、図２等に示されるように、両側の裾を持ち上げることで山形に開かれるよう形成されている。
【００２１】
５（図２等参照）は、ホールを前後に仕切る仕切り幕である。この仕切り幕５は、棺１の安置箇所２の後側に、この実施形態では交換自在に吊り下げられている。本考案の場合、仕切り幕５は、ホールの雰囲気を多種多様に演出できるよう、柄や模様の異なるものが複数揃えられている。
【００２２】
また６（図３等参照）は、仕切り幕５を懸吊するため、ホールの天井部等に設けられている断面矩形のパイプである。このパイプ６は、ホールの短辺方向に沿って架設され、このパイプ６の長手方向に沿った側面に、例えば雌型の面状ファスナー７が、この実施形態では一定の間隔をあけて断続的に複数設けられている。
【００２３】
そして、仕切り幕５は、図４に示されるように、上記の雌型の面状ファスナー７に対応するよう、上辺部の所定位置に、雄型の面状ファスナー８が一定の間隔をあけて断続的に複数設けられている。仕切り幕５は、この雄型の面状ファスナー８を、パイプ６の雌型の面状ファスナー７に鉤着することで交換自在に吊り下げられている。
【００２４】
本考案は、図１に黒枠で示されるように、仕切り幕５の前側に当たるホールの前側部分が式場９に形成される。また図５に黒枠で示されるように、仕切り幕５の後側に当たるホールの奥側部分が、ダイニングルーム１０に形成される。
【００２５】
式場９は、図２に示されるように、会葬者の座る席１１が、棺１に向かって左右側に、複数設けられている。席１１は、この実施形態ではボックス型のソファーで形成されている。また図６等に示されるように、ダイニングルーム１０は、椅子１２を備えた食卓１３が、複数設けられている。
【００２６】
なお、この実施形態の場合、ホールは、両側の壁面１４に、縦型の照明灯１５がホールの長辺方向に沿って一定の間隔をあけて複数設けられている。また、１６（図７参照）は、席１１の間に配置されているテーブルである。
【００２７】
次に、本考案の使用例を説明する。
この実施形態では、会葬者が入場する段階は、仕切り幕５でホールが仕切られ、式場９とダイニングルーム１０に形作られている。会葬者は、式場９へ入る前は、ダイニングルーム１０を待合室や休憩室として使用する。
【００２８】
式場９側の仕切り幕５の柄は、例えば夜空等が描かれた落ち着いた雰囲気のものが使用される。式場９に会葬者が入場する段階では、覆い４が閉じられ、棺１は覆い４の外から透視できる状態に安置されている。
【００２９】
会葬者の入場後、通夜式が式場９で行われる。この場合、覆い４は、図２に示されるように、前側の裾の両側が持ち上げられて左右対称の山形に開かれ、棺１が露出される。また仕切り幕５は、この実施形態では入場時と同じ絵柄のものが使用される。
なお、照明は、適宜調節されるので良い。
【００３０】
通夜振舞いは、図５に黒枠で示されるダイニングルーム１０で行われる。この場合、仕切り幕５は開かれる。ダイニングルーム１０は、式場９に隣接し、ホールの奥側部分で形成されている。従って、本考案によると、会葬者は、僅かな歩数で式場９から楽に、且つ直ぐに移動できる。
なお、通夜振舞いの際、棺１を囲んでいる覆い４は、ダイニング側を開き、式場９側を閉じるのが良い。
【００３１】
本考案は、このように会葬者は、棺１の安置箇所２を離れることなく、会食でき、遺族等は、通夜、通夜振舞いを通じて、故人と同じ空間に長く居ることができる。
従って、これによれば、遺族等に安心感を与え、また故人の思い出を語り合うのに相応しい空間を提供できる。
【００３２】
また本考案のホールは、図７に黒枠で示されるように、仕切り幕５を取り外すことで式場９とダイニングルーム１０を一つの部屋として使用できる。従って、使用者は、例えば通夜振舞いの後、ホールの全体をラウンジとして故人との思い出を語り合う場所に利用することができる。
【００３３】
また葬儀告別式は、図１の黒枠で示される式場９で行われる。仕切り幕５は、通夜式の際の夜空が描かれているものから、葬儀の荘厳さや、遺族等の心を慰めることができるよう、例えば季節の花等が描かれているものに変更されるのが良い。覆い４は、通夜式と同様、両裾が持ち上げられて開かれる（図２参照）。
【００３４】
葬儀告別式に引き続いて初七日法要が行われる場合は、通夜振舞いの場合と同様、会葬者は、式場９からダイニングバーに移動する。
【００３５】
而して、この実施形態の場合、仕切り幕５は、雌雄の面状ファスナーでパイプ６に取り付けられている。従って、本考案によれば、仕切り幕５の交換を、簡単、迅速にできる。また本考案は、式の進行に合わせ、仕切り幕５の変更や、覆い４の開け閉めができる。
従って、これによれば、ホールの雰囲気を多種多様に演出でき、ホールの価値を高めることができる。
【００３６】
以上の処において、上記の覆い４は、上例のような薄手の生地に代え、例えば紐状の部材で透視可能に形成されているのでも良く、その材質や形態は任意である。
【００３７】
また本考案は、図４に示されるように、パイプ６の両側面に雌型の面状ファスナー７を設け、ダイニングルーム１０側から観賞できる仕切り幕５を、懸吊可能に形成されているのでも良い。
【符号の説明】
【００３８】
１      棺
２      安置箇所
３      支柱
４      覆い
５      仕切り幕
９      式場
１０    ダイニングルーム
【図１】
0003202258.tif 000003
【図２】
0003202258.tif 000004
【図３】
0003202258.tif 000005
【図４】
0003202258.tif 000006
【図５】
0003202258.tif 000007
【図６】
0003202258.tif 000008
【図７】
0003202258.tif 000009